(57)【要約】【課題】周辺部の汚れを防止することができるペット用トイレを提供する。【解決手段】便床トレイ１１の砂収容部４１にペット用砂４３を収容し、ボックス収納部４２に収容ボックス４４を取り出し自在に収容する。収容ボックス４４を、上方開口状の容器体５１と、容器体５１の上部開口部５２を開閉自在に閉鎖する蓋体５３で構成し、蓋体５３にペットに付着したペット用砂４３を容器体５１内へ落とすための開口部５４を設ける。【選択図】　　　　　図２
2004121146.tif 000002
【特許請求の範囲】
【請求項１】
処理材などの粒状物が収容される便床トレイを備えたペット用トイレにおいて、
上方開口状の容器体と、該容器体の上部開口部を開閉自在に閉鎖する蓋体とからなる収容ボックスを備え、
前記容器体に取っ手を設ける一方、
前記蓋体に、前記上部開口部開放時に操作される操作部を前記取っ手側へ延設するとともに、当該操作部を操作した際の前記蓋体の回動中心を前記操作部の基端部側に設定したことを特徴とするペット用トイレ。
【請求項２】
前記蓋体に、当該収容ボックス上を通過するペットに付着した前記粒状物を前記容器体内へ落とすための開口部を設けたことを特徴とする請求項１記載のペット用トイレ。
【請求項３】
前記便床トレイの底部から前記収容ボックスの前記上部開口部の開口縁部へ向けて延在する壁部を設けたことを特徴とする請求項１又は２記載のペット用トイレ。
【発明の詳細な説明】
【０００１】
【発明の属する技術分野】
本発明は、猫などのペットが排泄物を排出するペット用トイレに関する。
【０００２】
【従来の技術】
従来、室内で飼育するペットの排泄物を処理する際には、ペット用トイレが使用されていた（例えば、特許文献１参照。）。
【０００３】
このペット用トイレは、便床トレイと、該便床トレイの上部を覆うフードからなり、該フードには、当該ペット用トイレ内への出入口が設けられている。前記便床トレイは、容器状に形成されており、排泄物を固めるペット用砂を収容できるように構成されている。
【０００４】
また、このようなペット用トイレにおいては、スコップを備えたものが知られており（例えば、特許文献２参照。）、便床トレイ内のペット用砂によって固形化された排泄物を、このスコップで掬って廃棄できるように構成されている。
【０００５】
【特許文献１】
登録実用新案第３０６９７８８号公報（図７、図９、及び図１０）
【０００６】
【特許文献２】
登録実用新案第３０６９７８９号公報（段落番号「００２１」及び図６）
【０００７】
【発明が解決しようとする課題】
しかしながら、このようなペット用トイレにあっては、ペット用砂で固形化された排泄物を、ペット用砂を篩い落とす為の開口部が多数設けられたスコップで運んで廃棄する必要があった。
【０００８】
このため、移送中にペット用砂がこぼれ落ちることがあり、周辺部を汚す恐れがあった。
【０００９】
本発明は、このような従来の課題に鑑みてなされたものであり、周辺部の汚れを防止することができるペット用トイレを提供することを目的とするものである。
【００１０】
【課題を解決するための手段】
前記課題を解決するために本発明の請求項１のペット用トイレにあっては、処理材などの粒状物が収容される便床トレイを備えたペット用トイレにおいて、上方開口状の容器体と、該容器体の上部開口部を開閉自在に閉鎖する蓋体とからなる収容ボックスを備え、前記容器体に取っ手を設ける一方、前記蓋体に、前記上部開口部開放時に操作される操作部を前記取っ手側へ延設するとともに、当該操作部を操作した際の前記蓋体の回動中心を前記操作部の基端部側に設定した。
【００１１】
ここで、本発明において取っ手とは、手に持つために取り付けた突き出た部分や、つまみや、柄などを示す（以下同様とする）。
【００１２】
また、収容ボックスは、便床トレイ内に配置しても、便床トレイ外に配置しても良い。
【００１３】
すなわち、便床トレイ内に排出され、ペット用砂などの粒状物で固形化された排泄物を廃棄する際には、例えばこの排泄物をスコップで掬い取り、前記便床トレイに収容された収容ボックスの容器体内へ収容する。そして、この収容ボックスを、トイレやゴミ箱まで移送して、収容された排泄物を廃棄する。
【００１４】
このとき、前記収容ボックスの容器体には、取っ手が設けられており、容器体の上部開口部を閉鎖する蓋体には、開放時に操作される操作部が前記取っ手側へ延設されている。また、当該操作部を操作した際の前記蓋体の回動中心は、前記操作部の基端部側に設定されている。
【００１５】
このため、前記取っ手を握持した手の指で前記操作部を操作することで、前記蓋体は回動中心に回動され、蓋体の自由端部側が開放される。
【００１６】
また、請求項２のペット用トイレにおいては、前記蓋体に、当該収容ボックス上を通過するペットに付着した前記粒状物を前記容器体内へ落とすための開口部を設けた。
【００１７】
すなわち、容器体の上部開口部を閉鎖する蓋体には、収容ボックス上を通過するペットに付着した粒状物を容器体内へ落とすための開口部が設けられている。このため、前記上部開口部が蓋体で閉鎖された通常状態において、当該収容ボックスを出入口近傍に配置することで、ペットの踏み台として利用することができ、この場合、ペットに付着した粒状物の外部への持ち出しが防止される。
【００１８】
さらに、請求項３のペット用トイレでは、前記便床トレイの底部から前記収容ボックスの前記上部開口部の開口縁部へ向けて延在する壁部を設けた。
【００１９】
すなわち、便床トレイには、底部から収容ボックスの上部開口部の開口縁部へ向けて延在する壁部が設けられており、前記便床トレイ内の排泄物が、スコップ等で前記壁部に沿って移動されることで、前記容器体内に収容される。
【００２０】
【発明の実施の形態】
（第１の実施の形態）
【００２１】
以下、本発明の第１の実施の形態を図に従って説明する。図１は、本実施の形態にかかるペット用トイレ１を示す図であり、該ペット用トイレ１は、室内で飼育される猫などのペットの排泄物を処理する際に使用されるものである。
【００２２】
このペット用トイレ１は、合成樹脂で形成されており、底部を形成する便床トレイ１１と、該便床トレイ１１の上部を覆う上方膨出形状のフード１２とによって構成されている。該フード１２は、図２にも示すように、後部を構成するフード本体１３と、前部を構成する前部蓋１４との二部材によって構成されており、該前部蓋１４は、その上部後縁から後方に延出した一対の支持バー１５，１５が、前記フード本体１３上面に軸支されることによって、この軸支部を回転中心として、上方へ回動できるように構成されている。これにより、図３に示すように、フード１２の前面部分を開放できるように構成されている。
【００２３】
前記フード本体１３の両側部の下縁には、図１にも示したように、バックル２１が設けられており、両バックル２１によって前記便床トレイ１１に固定できるように構成されている。また、前記フード本体１３の上面には、当該ペット用トイレ１を持ち運びする際に握持されるハンドル２２が設けられており、該ハンドル２２は、起立可能に傾倒されている。このハンドル２２の中心部には、図２に示したように、脱臭剤などを収容する収容凹部２３が形成されており、該収容凹部２３は、図１に示したように、閉鎖蓋２４によって開閉自在に閉鎖されている。
【００２４】
前記前部蓋１４の前面には、ペットがペット用トイレ１の内部空間３１へ出入りする為の出入口３２が開設されており、該出入口３２の上縁には、当該出入口３２を開閉自在に閉鎖する扉３３が揺動自在に支持されている。
【００２５】
前記便床トレイ１１は、図２に示したように、容器状に形成されており、前記フード１２を取り付けた状態で、前記フード本体１３の下部に位置する砂収容部４１と、前記前部蓋１４の下部に位置するボックス収納部４２とに区画されている。前記砂収容部４１には、水分を吸収して固化する粒状物としてのペット用砂４３，・・・が収容されており、前記ボックス収納部４２には、長方形状の収容ボックス４４が取り出し自在に収容されている。
【００２６】
該収容ボックス４４は、上方開口状の容器体５１と、該容器体５１の上部開口部５２を開閉自在に閉鎖する蓋体５３とからなり、該蓋体５３には、図４にも示したように、前記出入口３２を介して、当該収容ボックス４４上を通過するペットに付着した前記ペット用砂４３，・・・を前記容器体５１内へ落とすための正方形状の開口部５４，・・・が縦横に配列されている。
【００２７】
前記容器体５１の上縁中央部には、図２に示したように、前記便床トレイ１１の切欠部６１を介して、前方へ延出した後、下方へ屈曲して延在する取っ手６２が一体形成されており、該取っ手６２を握持して当該収容ボックス４４を持ち運べるように構成されている。この取っ手６２の上端部には、図５に示すように、その中央部に矩形状切欠部６３が開設されており、前記容器体５１の上縁から前記矩形状切欠部６３内へ延出した延出片６４の先端には、円柱状の回転軸部６５が設けられている。
【００２８】
前記蓋体５３には、図２に示したように、前記容器体５１の上部開口部５２を開放する際に操作される操作部７１が一体形成されており、該操作部７１は、前記取っ手６２に沿って延設されている。この操作部７１の基端側の裏面には、前記回転軸部６５に外嵌する下方開口状の外嵌部７２が形成されており、前記取っ手６２を握持した手の指で前記操作部７１を下方へ押圧操作した際に、前記蓋体５３の自由端部を、前記回転軸部６５を回動中心として回動し、前記上部開口部５２を開放できるように構成されている。
【００２９】
前記便床トレイ１１の前記砂収容部４１には、前記ボックス収納部４２へ向かうに従って、上方へ傾斜するガイド壁部８１が一体形成されている。該ガイド壁部８１は、前記砂収容部４１の底部８２から前記ボックス収納部４２に収納された前記収容ボックス４４の前記上部開口部５２の開口縁部へ向かうに従って湾曲した湾曲面を形成しており、このガイド壁部８１の延長上に、前記収容ボックス４４の容器体５１の開口縁部が位置するように設定されている。これにより、前記砂収容部４１内のペット用砂４３，・・・を、このガイド壁部８１に沿って掻き上げた際に、前記収容ボックス４４の容器体５１へ収容できるように構成されている。
【００３０】
そして、このペット用トイレ１は、図４に示したように、前記ペット用砂４３，・・・で固形化された排泄物を掻き寄せるスコップ９１を備えている。該スコップ９１には、縦方向に延在する複数のスリット９２，・・・が設けられており、各スリット９２，・・・は、前記ペット用砂４３は通過させる一方、前記ペット用砂４３で固形化された排泄物の通過は阻止する幅寸法に設定されている。
【００３１】
このスコップ９１の背面には、係止フック１０１が一体形成されており、図４中実線で示すように、当該係止フック１０１を、前記フード本体１３の左右側縁に突設された係止片１０２に係止できるように構成されている。また、図４中破線で示すように、前記フード本体１３の上縁に設けられた係止片１０３にも係止できるように構成されている。
【００３２】
以上の構成にかかる本実施の形態において、図６に示すように、便床トレイ１１内に排出され、ペット用砂４３，・・・で固形化された排泄物１１１を廃棄する際には、収容ボックス４４の取っ手６２を一方の手１２１で握持するとともに、取っ手６２を握持した手１２１の親指１２２で、蓋体５３に設けられた操作部７１を下方へ押圧操作する。すると、前記蓋体５３は、回転軸部６５を回動中心として回動し、容器体５１の上部開口部５２が、前記蓋体５３の自由端部側より開放される。
【００３３】
この状態において、他方の手１３１でフード１２の前部蓋１４を上方へ開放した後、スコップ９１を握持して前記排泄物１１１を手前側に引き寄せ、ガイド壁部８１に沿って移動する。このとき、このガイド壁部８１の延長上には、前記収容ボックス４４の容器体５１の開口縁部が位置するように設定されている。このため、前記排泄物１１１を、前記ガイド壁部８１に沿って移動するだけで、前記容器体５１内に収容することができる。よって、排泄物１１１をスコップ９１で掬い上げる場合と比較して、作業時の簡単化を図ることができる。
【００３４】
次に、前記操作部７１から親指１２２を離すことによって、容器体５１の上部開口部５２を蓋体５３で閉鎖し、前記収容ボックス４４を、前記便床トレイ１１から取り外す。そして、この収容ボックス４４を、図７の（ａ）に示すように、トイレ１４１まで移送し、あるいは図７の（ｂ）に示すように、ゴミ箱１４２まで移送して収容された排泄物１１１を廃棄する。
【００３５】
このように、ペット用砂４３，・・・で固形化された排泄物１１１を、ペット用砂４３，・・・を篩い落とす為のスリット９２，・・・が多数設けられたスコップ９２で運んで廃棄する場合と比較して、排泄物１１１に付着したペット用砂４３，・・・が移送中にこぼれ落ちるといった不具合を防止することができる。これにより、排泄物１１１に付着したペット用砂４３，・・・による周辺部の汚れを防止することができる。
【００３６】
また、前記取っ手６２を握持した手１２１の親指１２２で前記操作部７１を操作するだけで、前記蓋体５３を開閉操作することができる。これにより、一方の手１２１で前記上部開口部５２を開放するとともに、他方の手１３１で排泄物１１１を掬うスコップ９１を握持することができ、作業性が向上する。
【００３７】
一方、前記容器体５１の上部開口部５２を閉鎖する蓋体５３には、収容ボックス４４上を通過するペットに付着したペット用砂４３，・・・を容器体５１内へ落とすための開口部５４，・・・が設けられており、この収容ボックス４４は、ペット用砂４３，・・・が収容された砂収容部４１と、出入口３２との間に配置されている。このため、この収容ボックス４４を、ペット出入り時の踏み台として利用することができる。また、ペットの足に付着したペット用砂４３，・・・のペット用トイレ１外部への持ち出しを防止することができる。これにより、便床トレイ１１内のペット用砂４３，・・・による周辺部の汚れを防止することができる。
【００３８】
なお、本実施の形態にあっては、便床トレイ１１に設けられたボックス収納部４２に、その上方から収容ボックス４４を収容する場合を例に挙げて説明したが、これに限定されるものでは無い。
【００３９】
【００４０】
（第２の実施の形態）
図８〜図１０は、第２の実施の形態に係るペット用トイレ２０１を示す図であり、前述した第１の実施の形態と同様又は同等な部分については、同一の符号を付して説明を割愛する。
【００４１】
すなわち、このペット用トイレ２０１は、ペット２１１が使用するトイレであって、ペット用砂４３，・・・が収容される便床トレイ２１２と、該便床トレイ２１２にバックル２１３で固定されたフード２１４とによって構成されており、該フード２１４は、ハンドル２２を有したフード本体１３と、出入口３２を有した開閉自在な前部蓋１４とで構成されている。
【００４２】
前記便床トレイ２１２の前面２２１には、図９に示したように、収容ボックス４４を収容する収容口２２２が設けられており、該収容口２２２から前記収容ボックス４４を出し入れできるように構成されている。
【００４３】
以上の構成にかかる本実施の形態においても、前述した第１の実施の形態と同様の効果を得ることができる。
【００４４】
【発明の効果】
以上説明したように、本発明の請求項１のペット用トイレにあっては、便床トレイ内の粒状物で固化された排泄物を、便床トレイ内にて収容ボックスの容器体へ収容するとともに、その上部開口部を蓋体で閉鎖した状態で、トイレやゴミ箱まで移送して廃棄することができる。
【００４５】
このため、粒状物で固形化された排泄物を、粒状物を篩い落とす為の開口部が多数設けられたスコップで運んで廃棄する従来と比較して、排泄物に付着した粒状物が移送中にこぼれ落ちるといった不具合を防止することができる。これにより、排泄物に付着した粒状物による周辺部の汚れを防止することができる。
【００４６】
そして、前記収容ボックスの容器体には取っ手が設けられており、容器体の上部開口部を閉鎖する蓋体には、開放時に操作される操作部が前記取っ手側へ延設されている。また、当該操作部を操作した際の前記蓋体の回動中心が、前記操作部の基端部側に設定されている。
【００４７】
このため、前記取っ手を握持した手の指で前記操作部を操作するだけで、前記蓋体を前記回動中心に回動し、蓋体の自由端部側を開放することができる。これにより、一方の手で前記上部開口部を開放するとともに、他方の手で排泄物を掬うスコップ等を握持することができ、作業性の向上を図ることができる。
【００４８】
また、請求項２のペット用トイレにおいては、容器体の上部開口部を閉鎖する蓋体には、収容ボックス上を通過するペットに付着した粒状物を容器体内へ落とすための開口部が設けられている。このため、前記上部開口部が蓋体で閉鎖された通常状態において、当該収容ボックスを出入口近傍に配置することで、ペットの踏み台として利用することができる。この場合、ペットに付着した粒状物のペット用トイレ外部への持ち出しを防止することができ、便床トレイ内の粒状物による周辺部の汚れを防止することができる。
【００４９】
さらに、請求項３のペット用トイレでは、便床トレイの底部から収容ボックスの上部開口部の開口縁部へ向けて延在する壁部が設けられており、前記便床トレイ内の排泄物をスコップ等で前記壁部に沿って移動するだけで、当該排泄物を前記容器体内に収容することができる。
【００５０】
したがって、排泄物をスコップで掬い上げる場合と比較して、作業時の簡単化を図ることができる。
【図面の簡単な説明】
【図１】本発明の第１の実施の形態を示す斜視図である。
【図２】同実施の形態の断面図である。
【図３】同実施の形態の側面図である。
【図４】同実施の形態にスコップを取り付けた状態を示す斜視図である。
【図５】同実施の形態の要部の平面図である。
【図６】同実施の形態の利用形態を示す説明図である。
【図７】図６に続く利用形態を示す説明図である。
【図８】本発明の第２の実施の形態を示す斜視図である。
【図９】同実施の形態の分解斜視図である。
【図１０】同実施の形態の利用形態を示す説明図である。
【符号の説明】
１　　ペット用トイレ
１１　　便床トレイ
１２　　フード
４３　　ペット用砂（粒状物）
４４　　収容ボックス
５１　　容器体
５２　　上部開口部
５３　　蓋体
５４　　開口部
６２　　取っ手
６５　　回転軸部
７１　　操作部
８１　　ガイド壁部
８２　　底部
１１１　　排泄物
２０１　　ペット用トイレ
２１１　　ペット
２１２　　便床トレイ
２１４　　フード
【図１】
2004121146.tif 000003
【図２】
2004121146.tif 000004
【図３】
2004121146.tif 000005
【図４】
2004121146.tif 000006
【図５】
2004121146.tif 000007
【図６】
2004121146.tif 000008
【図７】
2004121146.tif 000009
【図８】
2004121146.tif 000010
【図９】
2004121146.tif 000011
【図１０】
2004121146.tif 000012